(57)【特許請求の範囲】
【請求項１】
搬送手段により硬貨を搬送面に押し付けて搬送し、搬送される硬貨を判別する判別手段を有する硬貨処理装置において、
前記判別手段に対して搬送方向上流側に特定の硬貨を前記判別手段を回避して搬送する回避搬送路を設け、
前記回避搬送路は、前記特定の硬貨が落下する落下孔と、該落下孔に落下した前記特定の硬貨を落下させて搬送する落下搬送路を有し、
前記落下搬送路に、該落下搬送路を落下した前記特定の硬貨を判別する判別部を設けたことを特徴とする硬貨処理装置。
【請求項２】
請求項１に記載の硬貨処理装置を有する自動取引装置。
【発明の詳細な説明】
【技術分野】
【０００１】
本発明は、金融機関などで使用される自動取引装置に具備される硬貨処理装置に関し、また該硬貨処理装置を具備する自動取引装置に関する。
【背景技術】
【０００２】
従来、自動取引装置には紙幣を取り扱う紙幣処理装置と硬貨を取り扱う硬貨処理装置が具備されている。このうち硬貨処理装置は、入金時には入金された硬貨の真偽や金種を判別して金種別に金庫に収納し、出金時には金庫から必要な硬貨を繰出して判別部で金種、真偽を確認した後、払い出すようにしている。硬貨は搬送状態においては、１枚ずつ搬送され、搬送手段としては、例えば、搬送ベルトが使用される。
【０００３】
図６、図７に従来の硬貨処理装置における搬送部を示す。図６は搬送部を示す側面図で、図７は搬送部を示す上面図である。両図において、搬送面１の上に回転可能に配設されたプーリ２ａとプーリ２ｂの間に搬送ベルト３が張設されている。搬送ベルト３は搬送面１に対して、搬送する硬貨４の厚さより狭い間隔で配設されている。搬送面１には硬貨４の搬送位置を規制する搬送ガイド５、６が設けられている。また搬送面１の下側には硬貨４の真偽、金種を判別する判別部７が設けられている。
【０００４】
両図において、硬貨４を搬送する場合、搬送ベルト３が図６における反時計回り方向に回転し、硬貨４は左側から右方向、即ち、矢印Ａ方向に搬送される。硬貨４は搬送ガイド５、６にガイドされ、搬送ベルト３により搬送面１側へ押し付けられながら搬送ベルト３の移動力により搬送される。硬貨４が判別部７の上まで搬送されてくると、判別部７により硬貨４の真偽および金種が判別される。このような硬貨処理装置を開示したものとして、例えば、特許文献１（特開２０００−０６７２９５号公報）が挙げられる。
【特許文献１】特開２０００−０６７２９５号公報
【発明の開示】
【発明が解決しようとする課題】
【０００５】
しかしながら従来の硬貨処理装置においては、搬送ベルト３が固定した位置に配設されているので、硬貨４が搬送面１の決まった位置を搬送される。そのため搬送面１や判別部７において、硬貨４が通過しない部分に硬貨粉や埃などが帯状に堆積する。この堆積物が、判別部７で硬貨４の外形を検出する際に硬貨４の一部と判定されてしまうことがあり、そのため判別部７の判別能力を低下させるという問題があった。なお硬貨粉の多くは、一円硬貨の主成分であるアルミニウムが搬送される際に、搬送ベルト３により搬送面１上を擦られて削られることにより発生する。
【０００６】
これを回避する手段としては、判別部を、硬貨の大きさを識別して金種を判別する金種判別部と、硬貨の材質を識別して真偽を判定する材質判別部とに別け、まず金種判別部で硬貨の金種を判別した後、金種別に搬送路を振り分け、あるいは一円硬貨のみ搬送路を別にして、その後材質判別部で真偽を判定する方法が考えられるが、搬送機構が複雑になってしまう。
【０００７】
そこで本発明は、搬送機構を複雑にすることなく、判別部付近における硬貨粉や埃の堆積を防止し、以って判別部の判別能力の低下を防止した優れた硬貨処理装置を提供することを目的とする。
【課題を解決するための手段】
【０００８】
上記課題を解決するために本発明は、搬送手段により硬貨を搬送面に押し付けて搬送し、搬送される硬貨を判別する判別手段を有する硬貨処理装置において、前記判別手段に対して搬送方向上流側に特定の硬貨を前記判別手段を回避して搬送する回避搬送路を設け、前記回避搬送路は、前記特定の硬貨が落下する落下孔と、該落下孔に落下した前記特定の硬貨を落下させて搬送する落下搬送路を有し、前記落下搬送路に、該落下搬送路を落下した前記特定の硬貨を判別する判別部を設けたことを特徴とするものである。
【発明の効果】
【０００９】
本発明によれば、判別手段の上流側に特定の硬貨を搬送する回避搬送路を設けたので、判別手段までの搬送面に硬貨粉等が堆積することがなくなり、硬貨粉等による判別手段の判別能力の低下を防止することができるとともに、判別部で特定の硬貨と異物を識別できるので、特定の硬貨と異物を別々に収容することが可能になる。
【発明を実施するための最良の形態】
【００１０】
以下、本発明の実施の形態を図面にしたがって説明する。各図面に共通する要素には同一の符号を付す。図１は本発明の第１の実施の形態における硬貨処理装置を示す上面図、図２は硬貨処理装置が組み込まれる自動取引装置を示す概略構成図である。まず図２にしたがって自動取引装置の構成について説明する。
【００１１】
図２において、自動取引装置１１には、顧客操作により取引に必要な情報を入力するための顧客操作部１２、入金紙幣が投入されるとともに出金紙幣が排出される紙幣入出金口１３、入金硬貨が投入されるとともに出金硬貨が排出される硬貨入出金口１４、顧客のカードが挿入、排出されるカード挿入・排出口１５、顧客の通帳が挿入、排出される通帳挿入・排出口１６が設けられている。自動取引装置１１の内部には、紙幣入出金口１３に接続した紙幣処理装置１７と、硬貨入出金口１４に接続した硬貨処理装置１８が設けられている。
【００１２】
次に硬貨処理装置について説明する。図３は硬貨処理装置を示す概略構成図である。図３において、硬貨処理装置１８の上部には入金ホッパ２１が設けられ、入金ホッパ２１に連続して硬貨搬送路２２が設けられている。硬貨搬送路２２の途中には硬貨判別部２３が配設されている。硬貨判別部２３は搬送されてくる硬貨の金種および真偽を判別する。また硬貨搬送路２２の下部には、硬貨判別部２３の搬送方向上流側に一円硬貨搬送路２４が設けられ、搬送方向下流側にリジェクト搬送路２５および金種別通路２６が設けられている。
【００１３】
一円硬貨搬送路２４には一円収容庫２７が接続され、一円硬貨搬送路２４を落下してきた一円硬貨がこの一円収容庫２７に収容される。リジェクト搬送路２５にはリジェクト収容庫２８が接続され、また金種別通路２６には一時保留部２９が接続されている。一円収容庫２７およびリジェクト収容庫２８は一時保留部２９に接続されている。
【００１４】
一時保留部２９の下方には開閉可能なシャッタ３０が設けられ、シャッタ３０の下部にはシュータ３１を介して金種別収納庫３２が設けられている。金種別収納庫３２は出金用の硬貨を金種別に収納する。また一時保留部２９は硬貨を返却するための返却箱３３へ硬貨を移動可能となっている。金種別収納庫３２の下方には、硬貨を出金する際に硬貨を集積するための出金箱３４と、金種別収納庫３２の硬貨が満杯になった場合に硬貨を回収するための回収カセット３５が設けられ、これらと金種別収納庫３２とを接続するダクト３６が設けられている。
【００１５】
次に硬貨搬送路２２について図１および図４により説明する。図４は第１の実施の形態における硬貨処理装置を示す側面図である。図１、図４において、硬貨搬送路２２には、硬貨４１を押圧しながら搬送する搬送ベルト４２がプーリ４３、４４により回転可能に支持されている。硬貨４１は硬貨搬送路２２の搬送面４５と搬送ベルト４２の間に圧接されながら搬送ベルト４２により搬送される。また硬貨搬送路２２には搬送ガイド４６、４７が配設されており、硬貨４１の搬送位置を規制する。このうち一方の搬送ガイド４６の側部４６ａが硬貨４１が搬送の際に突き当てられる基準面となっている。
【００１６】
硬貨搬送路２２の搬送面４５には落下孔４８が形成されている。落下孔４８は、一円硬貨が落下し、他の金種の硬貨は落下しない大きさに設定されている。したがって落下孔４８は、搬送ガイド４６に接して設けられている。落下孔４８は  上述の一円硬貨搬送路２４に接続されている。落下孔４８より硬貨搬送方向下流側（図における右側）には、硬貨４１の真偽、金種を判定する硬貨判別部２３が配設されている。硬貨判別部２３にはイメージセンサ４９が設けられ、イメージセンサ４９で硬貨４１の外形等を読取ることにより、硬貨４１の真偽、金種を判別する。
【００１７】
次に動作を説明する。図１、図３、図４において、硬貨を入金する入金処理の場合、硬貨が金種が混合した状態で入金ホッパ２１に投入されると、硬貨は図示しない繰出し部により１枚ずつ分離され、硬貨搬送路２２に１枚ずつ繰出される。硬貨搬送路２２に繰出された硬貨４１は、搬送ベルト４２により硬貨判別部２３方向へ搬送される。
【００１８】
硬貨搬送路２２において硬貨４１は搬送ガイド４６の基準面４６ａに接しながら搬送される。搬送される硬貨４１のうち、一円硬貨は図１に示す落下孔４８から一円硬貨搬送路２４に落下する。落下した一円硬貨は一円収容庫２７に収容される。硬貨搬送路２２における搬送開始から落下孔４８までの一円硬貨の搬送距離は従来に較べて短縮されるため、一円硬貨が硬貨搬送路２２の搬送面４５と擦れることにより発生する硬貨粉の量が減少する。また、一円硬貨は硬貨判別部２３より搬送方向上流側で落下するので、仮に搬送中に硬貨粉が発生してもその硬貨粉が硬貨判別部２３にまで搬送されることは極めて少なくなる。そのため硬貨判別部２３に硬貨粉が付着することはなく、硬貨判別部２３の検出精度の低下を防止できる。
【００１９】
他の金種の硬貨４１は、落下孔４８を通過し、硬貨判別部２３に搬送される。硬貨判別部２３で一円硬貨以外の金種の硬貨４１の真偽および金種が判定される。異常硬貨であると判定された場合は、リジェクト搬送路２５からリジェクト収容庫２８に送られる。正常と判定された硬貨４１は、金種別通路２６を介して一時保留部２９へ送られる。
【００２０】
硬貨判別部２３により入金合計金額が計数され、計数値が確定されると、シャッタ３０が開かれ、一時保留部２９に収納されている硬貨４１は金種別収納庫３２へ収納される。また一円硬貨については、硬貨判別部２３で真偽、金種を判定していないので、入金合計金額には加えられないが、収容されている一円収容庫２７から一時保留部２９へ送られ、さらに金種別収容庫３２へ送られて収納される。またリジェクト収容庫２８に収容されているリジェクト硬貨は一時保留部２９および返却箱３３を介して返却される。
【００２１】
また入金金額が確定されない場合は、一時保留部２９の硬貨４１を返却箱３３へ移動し、返却を行なう。この場合は一円収容庫２７に収容されている一円硬貨も返却される。
【００２２】
以上のように、本実施の形態では、硬貨を搬送する硬貨搬送路２２で硬貨判別部２３の搬送方向上流側に、一円硬貨を落下させる落下孔４８およびそれに連続する一円硬貨搬送路２４を設けたので、一円硬貨の搬送中に主に発生する硬貨粉が硬貨判別部２３に影響を及ぼすことを防止することができ、硬貨判別部２３の検出精度の低下を防止することができる。
【００２３】
次に第２の実施の形態を説明する。図５は第２の実施の形態の硬貨処理装置を示す側面図である。図５において、第２の実施の形態の硬貨処理装置５０には、第１の実施の形態とほぼ同様の硬貨搬送路５１が設けられている。硬貨搬送路５１には、硬貨４１を押圧しながら搬送する搬送ベルト４２がプーリ４３、４４により回転可能に支持されている。
【００２４】
硬貨４１は硬貨搬送路５１の搬送面４５と搬送ベルト４２の間に圧接されながら搬送ベルト４２により搬送される。硬貨搬送路５１には搬送ガイド４６（４７）が配設されており、硬貨４１の搬送位置を規制する。このうち一方の搬送ガイド４６の側部が硬貨４１が突き当てられる基準面を構成する。
【００２５】
硬貨搬送路５１の搬送面４５には落下孔４８が形成されている。落下孔４８は、一円硬貨が落下し、他の種類の硬貨は落下しない大きさに設定されている。落下孔４８は一円硬貨搬送路２４に接続されている。落下孔４８より硬貨搬送方向下流側（図における右側）には、硬貨４１の真偽、金種を判定する硬貨判別部２３が配設されている。硬貨判別部２３は硬貨４１の外形等を読取ることにより、硬貨４１の真偽、金種を判別する。
【００２６】
一円硬貨搬送路２４の下方には簡易検出部５２が配設されている。簡易検出部５２は、落下してくる一円硬貨の材質を検出する。この簡易検出部５２により、一円硬貨搬送路２４を落下してくる一円硬貨と一円硬貨以外の異物とを識別することが可能になる。
【００２７】
上記構成の第２の実施の形態では、第１の実施の形態と同様に、硬貨搬送路５１を搬送されてくる硬貨のうち、一円硬貨のみが、硬貨判別部２３へ到達する前に、落下孔４８から一円硬貨搬送路２４へ落下する。そのため硬貨搬送路５１における搬送開始から落下孔４８までの一円硬貨の搬送距離は従来に較べて短縮されるため、一円硬貨が硬貨搬送路５１の搬送面４５と擦れることにより発生する硬貨粉の量が減少する。また、一円硬貨は硬貨判別部２３より搬送方向上流側で落下するので、仮に搬送中に硬貨粉が発生しても硬貨粉が硬貨判別部２３にまで搬送されることは極めて少なくなる。そのため硬貨判別部２３の検出精度の低下を防止できる。
【００２８】
このとき、落下孔４８から一円硬貨以外に異物が落下することがある。しかしながら、簡易検出部５２で一円硬貨と異物を識別できるので、図３に示す一円収容庫２７に異物専用収容庫を設け、一円硬貨と異物を別々に収容するようにしてもよい。また、簡易検出部５２で一円硬貨を計数し、他の金種の硬貨の入金合計金額に加えるようにしてもよい。
【図面の簡単な説明】
【００２９】
【図１】第１の実施の形態における硬貨処理装置を示す上面図である。
【図２】硬貨処理装置が組み込まれる自動取引装置を示す概略構成図である。
【図３】硬貨処理装置を示す概略構成図である。
【図４】第１の実施の形態における硬貨処理装置を示す側面図である。
【図５】第２の実施の形態の硬貨処理装置を示す側面図である。
【図６】従来の硬貨処理装置における搬送部を示す側面図である。
【図７】従来の硬貨処理装置における搬送部を示す上面図である。
【符号の説明】
【００３０】
１１  自動取引装置
１８  硬貨処理装置
２２  硬貨搬送路
２３  硬貨判別部
２４  一円搬送路
４２  搬送ベルト
４８  落下孔
５２  簡易検出部
【図１】
0005176515.tif 000002
【図２】
0005176515.tif 000003
【図３】
0005176515.tif 000004
【図４】
0005176515.tif 000005
【図５】
0005176515.tif 000006
【図６】
0005176515.tif 000007
【図７】
0005176515.tif 000008